(57)【要約】【課題】コスト削減を達成することが可能な表示装置を提供する。【解決手段】ケース１と、導光板２と、光源３と、液晶パネル４と、カバー５と、を有する表示装置において、導光板２の第１，第２の側面部２１，２２のそれぞれに突出部２５を設け、ケース１の第１，第２の側壁部１１，１２のそれぞれに切欠部１６を設け、カバー１の第１，第２の周壁部５１，５２に第１，第２の側面部２１，２２のそれぞれを第３，第４の周壁部５３，５４に向けて押圧すると共に切欠部１６との間で突出部２５を挟んで支持する押圧部５６を設けた。【選択図】  図１
2009282435.tif 000002
【特許請求の範囲】
【請求項１】
四角形状の底部と、この底部の四辺を取り巻く第１〜第４の側壁部と、前記底部と対向する開口部と、を有する金属材料からなるケースと、
このケースの前記第１〜第４の側壁部に対向する第１〜第４の側面部を有し前記ケース内に収納される導光板と、
この導光板の前記第１〜第４の側面部のうち任意の側面部と対向するように前記ケース内に収納される光源と、
前記導光板上に配置され前記導光板を通じて導かれた前記光源からの光によって照明される表示部材と、
この表示部材に対応した開口窓部と、この開口窓部を取り巻く縁部と、前記側壁部に対応する第１〜第４の周壁部とを有し、前記ケースと組み合わされて少なくとも前記光源と前記導光板とを収納する収納空間を形成するカバーと、
を有する表示装置において、
前記導光板において隣接する前記第１，第２の側面部のそれぞれに前記第１，第２の側壁部に向けて突出する突出部を設け、
前記ケースにおいて前記第１，第２の側面部に対応する第１，第２の側壁部のそれぞれに前記突出部に対応した切欠部を設け、
前記カバーにおいて前記突出部に対応する第１，第２の周壁部箇所に前記第１，第２の側面部のそれぞれを第１，第２の周壁部とは相対する前記第３，第４の周壁部に向けて押圧すると共に前記切欠部との間で前記突出部を挟んで支持する押圧部を設けたことを特徴とする表示装置。
【請求項２】
前記突出部に前記押圧部によって押圧される押圧面を設けたことを特徴とする請求項１記載の表示装置。
【発明の詳細な説明】
【技術分野】
【０００１】
本発明は、例えば液晶パネルからなる表示部材を用いた表示装置に関する。
【背景技術】
【０００２】
この種の表示装置として、例えば下記特許文献１に記載されている。当該特許文献１記載の表示装置は、金属材料からなる四角形状のケースと、同じく金属材料からなるカバーとの間に、導光板、光源、液晶パネルとを収納してなるもので、導光板と液晶パネルは合成樹脂からなるモールド枠を通じてケース内に収納固定されている。
【特許文献１】特開平１０−０３９２８０号公報
【発明の開示】
【発明が解決しようとする課題】
【０００３】
しかしながら、前記特許文献１記載の表示装置は、ケースとカバーとの間に導光板を収納固定するにあたり、モールド枠が必要であるため、部品点数及び組み付け工数が増え、コスト上昇につながるという問題がある。
【０００４】
本発明は前述した問題点に着目し、コスト低減が実現することが可能な表示装置を提供するものである。
【課題を解決するための手段】
【０００５】
本発明は、前述した課題を解決するため、四角形状の底部と、この底部の四辺を取り巻く第１〜第４の側壁部と、前記底部と対向する開口部と、を有する金属材料からなるケースと、このケースの前記第１〜第４の側壁部に対向する第１〜第４の側面部を有し前記ケース内に収納される導光板と、この導光板の前記第１〜第４の側面部のうち任意の側面部と対向するように前記ケース内に収納される光源と、前記導光板上に配置され前記導光板を通じて導かれた前記光源からの光によって照明される表示部材と、この表示部材に対応した開口窓部と、この開口窓部を取り巻く縁部と、前記側壁部に対応する第１〜第４の周壁部とを有し、前記ケースと組み合わされて少なくとも前記光源と前記導光板とを収納する収納空間を形成するカバーと、を有する表示装置において、前記導光板において隣接する前記第１，第２の側面部のそれぞれに前記第１，第２の側壁部に向けて突出する突出部を設け、前記ケースにおいて前記第１，第２の側面部に対応する第１，第２の側壁部のそれぞれに前記突出部に対応した切欠部を設け、前記カバーにおいて前記突出部に対応する第１，第２の周壁部箇所に前記第１，第２の側面部のそれぞれを第１，第２の周壁部とは相対する前記第３，第４の周壁部に向けて押圧すると共に前記切欠部との間で前記突出部を挟んで支持する押圧部を設けたことを特徴とする。
【０００６】
また本発明は、前記突出部に前記押圧部によって押圧される押圧面を設けたことを特徴とする。
【発明の効果】
【０００７】
本発明によれば、初期の目的を達成することができ、コスト削減を達成することが可能な表示装置を提供することができる。
【発明を実施するための最良の形態】
【０００８】
以下、本発明の実施の形態について添付図面を用いて説明する。
【０００９】
図１から図３は、本発明による表示装置の一実施形態を示すもので、図１は表示装置の分解斜視図、図２は同表示装置の組み付け状態を示す要部断面図、図３は導光板の要部斜視図である。
【００１０】
図１において、本実施形態による表示装置は、ケース１と、導光板２と、光源３と、液晶パネル（表示部材）４と、カバー５とで構成されている。なお必要に応じて光拡散シートや反射シート、プリズムシート等の光学部品を追加してもよい。
【００１１】
ケース１は、所定の金属製薄板をプレス成形してなり、四角形状の底部１０と、この底部１０の四辺を取り巻く第１〜第４の側壁部１１〜１４と、底部１０と対向する開口部１５と、を有している。
【００１２】
第１〜第４の側壁部１１〜１４は、底部１０から略９０度折り返し形成されており、隣接する第１，第２の側壁部１１，１２のそれぞれには、導光板２の後述する突出部に対応した切欠部１６が形成され、また第３の側壁部１３に沿って光源３が配置される。
【００１３】
導光板２は、アクリル、ポリカーボネート等の透光性合成樹脂からなり、液晶パネル３に対応する四角形状の出光面２０と、ケース１の第１〜第４の側壁部１１〜１４に対向する第１〜第４の側面部２１〜２４とを有している。
【００１４】
第１〜第４の側面部２１〜２４のうち、隣接する第１，第２の側面部２１，２２には、ケース１の切欠部１６に対応する突出部２５が形成されている。
【００１５】
この突出部２５は、切欠部に嵌るように側面部２１，２２から第１，第２の側壁部１１,１２側に向けて突出する部分的に突出しており、カバー５の後述する押圧部に対応した傾斜面からなる押圧面２６（図３参照）を有している。
【００１６】
また第１〜第４の側面部２１〜２４のうち、第３の側面部２３は、光源３からの光を導入する入光面として機能し、この入光面から導入した光を出光面２０を通じて面発光させるものである。なおこの場合、第３の側面部２３は、光源３を収納する凹部として形成されている。
【００１７】
光源３は、例えば発光ダイオードからなり、光源基板上に一列に配置されている。
【００１８】
液晶パネル４は、各種タイプのパネルを採用でき、導光板２上に配置され、且つ導光板２からの光を受けて各種情報を表示する。
【００１９】
カバー５は、ケース１と同じく所定の金属製薄板をプレス成形してなり、ケース１と組み合わされて光源３と導光板２と液晶パネル４とを収納する収納空間を形成するものである。このカバー５は、液晶パネル４に対応した開口窓部５０と、ケース１の各側壁部１１〜１４に対応する第１〜第４の周壁部５１〜５４と、これら第１〜第４の周壁部５１〜５４から９０度折り曲げられて液晶パネル４の周囲を覆うと共に開口窓部５１を規定する縁部５５とを有している。
【００２０】
第１〜第４の周壁部５１〜５４のうち、隣接する第１，第２の周壁部５１，５２には、カバー５内部に向けて先端が折り曲げられた、切り起こし片形状の弾性を有する押圧部５６が形成されている。
【００２１】
この押圧部５６は、導光板２の第１，第２の側面部２１，２２のそれぞれを第１，第２の周壁部５１，５２と相対する第３，第４の周壁部５３，５４に向けて押圧すると共に切欠部１６との間で突出部２５を挟んで支持するものである。
【００２２】
このように構成される表示装置の組み付けは、例えば、ケース１内に光源３と導光板２を収納し、導光板２上に液晶パネル４を配置し、最後にカバー５をケース１に被せることにより行われる。
【００２３】
ケース１と導光板２との位置合わせは、切欠部１６と突出部２５とを嵌合させることにより行われ、またカバー５をケース１に被せて固定すると、押圧部５６が押圧面２６を通じて導光板２を第３，第４の周壁部５３，５４側及び切欠部１６（底部１０）側に向けて押圧し、且つ押圧部５６と切欠部１６との間で突出部２５を挟んだ状態で導光板２がケース１内に固定される。このように押圧部５６により導光体２を押圧することにより、冷熱サイクルに伴う膨張と収縮によって導光板２のサイズが変化しても弾性を有する押圧部５６がサイズ変化に追従して導光板２を押圧するため、安定保持が可能となる。
【００２４】
なおケース１に対するカバー５の固定は、例えばカバーの周壁部５１〜５４に形成したカシメ固定片を折り曲げてケース１の底部１０に係合することにより行うことができる他、ネジ締めやフック結合によっても行うことができる。
【００２５】
また切欠部１６や突出部２５、押圧部５６は、隣接する２辺であれば、任意の辺に設けることができる。
【００２６】
以上のように、本実施形態では、四角形状の底部１０と、この底部１０の四辺を取り巻く第１〜第４の側壁部１１〜１４と、底部１０と対向する開口部１５と、を有する金属材料からなるケース１と、このケース１の第１〜第４の側壁部１１〜１４に対向する第１〜第４の側面部２１〜２４を有しケース１内に収納される導光板２と、この導光板２の第１〜第４の側面部２１〜２４のうち任意の側面部２１〜２４と対向するようにケース１内に収納される光源３と、導光板２上に配置され導光板２を通じて導かれた光源３からの光によって照明される液晶パネル４と、この液晶パネル４に対応した開口窓部５０と、この開口窓部５０を取り巻く縁部５５と、側壁部１１〜１４に対応する第１〜第４の周壁部５１〜５４とを有し、ケース１と組み合わされて光源３と導光板２と液晶パネル４とを収納する収納空間を形成するカバー５と、を有する表示装置において、導光板２において隣接する第１，第２の側面部２１，２２のそれぞれに第１，第２の側壁部１１，１２に向けて突出する突出部２５を設け、ケース１において第１，第２の側面部２１，２２に対応する第１，第２の側壁部１１，１２のそれぞれに突出部２５に対応した切欠部１６を設け、カバー１において突出部２５に対応する第１，第２の周壁部５１，５２箇所に第１，第２の側面部２１，２２のそれぞれを第１，第２の周壁部５１，５２とは相対する第３，第４の周壁部５３，５４に向けて押圧すると共に切欠部１６との間で突出部２５を挟んで支持する押圧部５６を設けたことにより、モールド枠を不要として、部品点数及び組み付け工数を減少させ、コスト低減を実現することができる。
【００２７】
また本実施形態では、突出部２５に押圧部５６によって押圧される押圧面２６を設けたことにより、導光板２を第３，第４の周壁部５３，５４側と切欠部１６（底部１０）側の２方向に向けて押圧することができるため、導光板２を確実に支持することができる。
【００２８】
図３及び図４は本発明の他の実施形態を示すもので、図３は表示装置の分解斜視図、図４は組み付け状態を示す要部断面図である。
【００２９】
本実施形態が前記一実施形態と異なる点は、液晶パネル４がケース１とカバー５とで形成される収納空間に収納されず、カバー５と新たに採用した第２のカバー６との間に配置される点であり、その他は前記一実施形態と同様である。
【００３０】
第２のカバー６は、カバー５と同様の金属製材料からなり、液晶パネル４を視認可能とする透視窓が形成されている。
【００３１】
なお図示は省略するが、液晶パネル４とカバー５及び第２のカバー６との間には、クッション材、もしくはクッション性を有する両面テープが配置されると共に、カバー５の縁部５５には、液晶パネル４を位置決めするための切起片が形成されている。また第２のカバー６のケース１への固定は、例えばカシメ、ネジ締め、フック結合を利用することができる。
【図面の簡単な説明】
【００３２】
【図１】本発明の一実施形態による表示装置の分解斜視図。
【図２】同実施形態の組み付け状態を示す要部断面図。
【図３】同実施形態による導光板の要部斜視図。
【図４】本発明の他の実施形態による表示装置の分解斜視図。
【図５】同実施形態の組み付け状態を示す要部断面図。
【符号の説明】
【００３３】
１  ケース
２  導光板
３  光源
４  液晶パネル（表示部材）
５  カバー
６  第２のカバー
１０  底部
１１〜１４  第１〜第４の側壁部
１５  開口部
１６  切欠部
２０  出光面
２１〜２４  第１〜第４の側面部
２５  突出部
２６  押圧面
５０  開口窓部
５１〜５４  第１〜第４の周壁部
５５  縁部
５６  押圧部
【図１】
2009282435.tif 000003
【図２】
2009282435.tif 000004
【図３】
2009282435.tif 000005
【図４】
2009282435.tif 000006
【図５】
2009282435.tif 000007